(57)【要約】【課題】防水シートの確実な固定状態を長期に亘って維持させ易くする。【解決手段】下地Ｓ上に敷設する防水シート２が、下地Ｓ上に横間隔をあけてネジ止めした複数の防水シート固定用板材Ｄによって固定されている防水シート固定構造において、板材Ｄと、その板材Ｄを下地Ｓに固定する固定ネジ部材１との間に、板材Ｄに対する固定ネジ部材１の軸芯Ｘ周りでのネジ締め方向の回転を許容する一方、緩み方向の回転を阻止する緩み防止手段Ｒが設けてある。【選択図】図４
2008002123.tif 000002
【特許請求の範囲】
【請求項１】
下地上に敷設する防水シートが、前記下地上に横間隔をあけてネジ止めした複数の防水シート固定用板材によって固定されている防水シート固定構造であって、
前記板材と、その板材を前記下地に固定する固定ネジ部材との間に、前記板材に対する前記固定ネジ部材の軸芯周りでのネジ締め方向の回転を許容する一方、緩み方向の回転を阻止する緩み防止手段が設けてある防水シート固定構造。
【請求項２】
前記緩み防止手段は、前記板材と固定ネジ部材との間に介在する介在部材で構成されている請求項１に記載の防水シート固定構造。
【請求項３】
前記介在部材は、前記板材に対して前記軸芯周りの相対回転を阻止した状態に係合する第一係合部と、前記固定ネジ部材の外周面に形成した係合用突起に対して前記軸芯周りでのネジ締め方向の回転を許容する一方、緩み方向の回転を阻止する状態に係合する第二係合部とを備えて構成してある請求項２に記載の防水シート固定構造。
【請求項４】
前記介在部材は、非導電性の合成樹脂で構成してあり、前記板材と固定ネジ部材との電気的な絶縁を図っている請求項２〜３に記載の防水シート固定構造。
【発明の詳細な説明】
【技術分野】
【０００１】
本発明は、下地（例えば、金属下地やスラブコンクリート等）上に敷設する防水シートが、前記下地上に横間隔をあけてネジ止めした複数の防水シート固定用板材（例えば、金属ディスク等）によって固定されている防水シート固定構造に関する。
【背景技術】
【０００２】
従来、この種の防水シート固定技術としては、図１０に示すように、例えば、金属ディスクの上面にホットメルト接着剤層を一体的に設けた防水シート固定用板材Ｄを、防水シート２を敷設する前の下地Ｓ上に点在する状態に固定ネジ部材１で固定し、それらの上から防水シート２を被せる状態に配置した後、前記防水シート固定用板材Ｄの上方から防水シート越しに磁気誘導加熱装置を使用して金属ディスクを加熱し、その熱によって前記ホットメルト接着剤層を溶かして防水シート固定用板材Ｄに防水シート２を接着する方法で実施されているものがあり（例えば、特許文献１参照）、この方法によれば、防水シートの全面を接着剤で固定する必要がないから、施工手間や接着剤の使用量を軽減できることに加えて、防水シートの改修を行う際にも簡単に除去することができるメリットを備えている。
そして、防水シート固定用板材Ｄは、図１０に示すように、薄板を凹凸のある断面形状にプレス成形することで、軽量でありながら強度の高いものに構成されている。また、防水シート固定用板材Ｄの中央部には、固定ネジ部材１の拡径頭部１ａが納まる座繰り部３ａが形成してあり、防水シート固定用板材Ｄを固定ネジ部材１で下地Ｓに固定した状態では、拡径頭部３ａが防水シート固定用板材Ｄの上面より上方へ突出しないように構成されている。
【０００３】
【特許文献１】特開２００２−６１３３９号公報（図２）
【発明の開示】
【発明が解決しようとする課題】
【０００４】
上述のように、防水シートは、下地に対して全面が接着されているわけではないから、前記防水シート固定用板材による被接着部以外は、下地に対して厚み方向に移動可能な状態となっている。従って、風が吹いて防水シートに揚圧力が作用すると、防水シートの被接着部以外は下地上に浮き上がったり波打ったりすることがある。そして、そのような防水シートの振動は、防水シート固定用板材を介して固定ネジに伝達される。また、固定ネジに対する振動としては、上述の防水シートからのものだけに限らず、例えば、建物躯体側から伝わるものもあり、何れにしても前記固定ネジは、緩む可能性を秘めている。また、前記固定ネジが、一度緩み出すと、防水シート固定用板材にガタツキが発生し、更に固定ネジの緩みが助長され、振動の度に騒音を発生したり、防水シートに悪影響を与えたりする危険性がある。
上述した従来の防水シート固定構造によれば、固定ネジによって防水シート固定用板材が下地に固定されていると共に、その上から防水シートが被さっているから、仮に固定ネジが緩んでも、そのままでは締め直すことができない。従って、固定ネジを締め直す為には、固定ネジ上に被さっている防水シート部分を切断して、拡径頭部を露出させて増締めを行う必要があり、その後、再度、別の防水シートを被して補修を図る必要がある。
即ち、従来技術によれば、防水シート固定用板材の固定が緩んで不完全なものとなる危険性があり、それを防止する為のメンテナンスに手間が掛かりやすい問題点があった。
【０００５】
従って、本発明の目的は、上記問題点を解消し、防水シートの確実な固定状態を長期に亘って維持させ易い防水シート固定構造を提供するところにある。
【課題を解決するための手段】
【０００６】
本発明の第１の特徴構成は、下地上に敷設する防水シートが、前記下地上に横間隔をあけてネジ止めした複数の防水シート固定用板材によって固定されている防水シート固定構造において、前記板材と、その板材を前記下地に固定する固定ネジ部材との間に、前記板材に対する前記固定ネジ部材の軸芯周りでのネジ締め方向の回転を許容する一方、緩み方向の回転を阻止する緩み防止手段が設けてあるところにある。
【０００７】
本発明の第１の特徴構成によれば、前記板材と、その板材を前記下地に固定する固定ネジ部材との間に、前記板材に対する前記固定ネジ部材の軸芯周りでのネジ締め方向の回転を許容する一方、緩み方向の回転を阻止する緩み防止手段が設けてあるから、下地上に配置した前記板材を固定ネジ部材で固定する際、固定ネジ部材のネジ締め方向の回転は許容されるから、自由に締め付けて板材をしっかりと固定することが可能となる。
また、一度固定した固定ネジ部材は、前記緩み防止手段によって緩み方向の回転が阻止されるから緩み防止を図ることが可能となる。尚、固定ネジ部材に対する回転阻止の為の反力は、緩み防止手段を介して、板材によって確保され、その板材そのものは、下地や防水シートとの摩擦力や、又は、防水シートによる接着力によって反力が確保されるから、他にアンカーや固化剤等を使用するまでもなく、確実に固定ネジ部材の緩み防止を図ることが可能となる。
従って、防水シートの確実な固定状態を長期に亘って維持させることが可能となる。
【０００８】
本発明の第２の特徴構成は、前記緩み防止手段は、前記板材と固定ネジ部材との間に介在する介在部材で構成されているところにある。
【０００９】
本発明の第２の特徴構成によれば、本発明の第１の特徴構成による上述の作用効果を叶えることができるのに加えて、前記固定ネジ部材や前記板材とは別に形成された介在部材で緩み防止手段が構成されているから、介在部材の材質を、前記固定ネジ部材や前記板材とは別のものを採用することができる。例えば、介在部材として、合成樹脂を使用すれば、弾性に富んだ製品を安価に形成することができたり、電気的な絶縁を図って、電蝕防止効果を発揮させたりすることができる。また、金属を使用すれば、高強度を付与することが可能となり、より確実に固定ネジ部材の緩み防止を図ることが可能となる。
即ち、使用環境やコスト等、目的に合わせて最適な材料を自由に選択することが可能となる。
【００１０】
本発明の第３の特徴構成は、前記介在部材は、前記板材に対して前記軸芯周りの相対回転を阻止した状態に係合する第一係合部と、前記固定ネジ部材の外周面に形成した係合用突起に対して前記軸芯周りでのネジ締め方向の回転を許容する一方、緩み方向の回転を阻止する状態に係合する第二係合部とを備えて構成してあるところにある。
【００１１】
本発明の第３の特徴構成によれば、本発明の第１又は２の特徴構成による上述の作用効果を叶えることができるのに加えて、第一係合部によって板材と介在部材とが軸芯周りの相対回転が阻止された状態に係合されると共に、第二係合部によって、固定ネジ部材と介在部材とが、軸芯周りでのネジ締め方向の回転を許容する一方、緩み方向の回転を阻止する状態に係合される。
そして、その係合構造が、固定ネジ部材の外周面に形成した係合用突起に対して係合するように設定されているから、固定ネジ部材の軸芯に最も接近した位置で、回転許容や回転阻止が図られることになり、例えば、固定ネジ部材を締め込む際には、前記係合用突起と、それに対応する介在部材の部分との間に作用する摩擦抵抗による抵抗モーメントを最小に抑えることが可能となり、スムースに固定ネジ部材を締め付け固定操作することが可能となる。
【００１２】
本発明の第４の特徴構成は、前記介在部材は、非導電性の合成樹脂で構成してあり、前記板材と固定ネジ部材との電気的な絶縁を図っているところにある。
【００１３】
本発明の第４の特徴構成によれば、本発明の第１〜３の何れかの特徴構成による上述の作用効果を叶えることができるのに加えて、前記板材と固定ネジ部材とを金属で構成するような場合、双方が直接接触していると、電気腐蝕（以後、単に電蝕という）の危険性があり、腐蝕によって防水シート固定性能の劣化が激しくなるのに対して、本発明の場合は、前記介在部材で板材と固定ネジ部材とが電気的に絶縁されているから、電蝕防止を図ることが可能となり、より長期間にわたって防水シートの安定した固定状態を維持することが可能となる。
更には、金属製の板材と固定ネジ部材との間に合成樹脂製の介在部材が存在することで、金属に比べて伝熱性が低い合成樹脂の特徴を発揮して、板材と固定ネジ部材間のヒートブリッジ防止効果を期待することが可能となる。
【発明を実施するための最良の形態】
【００１４】
以下に本発明の実施の形態を図面に基づいて説明する。尚、図面において従来例と同一の符号で表示した部分は、同一又は相当の部分を示している。
【００１５】
図１は、本発明の防水シート固定構造の一実施形態を示すもので、金属屋根（下地の一例）Ｓ上に、複数の防水シート固定用板材（以後、単に板材という）Ｄが、所定の横間隔をあけて固定ネジ部材１によってネジ止めされ、それら各板材Ｄの上面にわたって防水シート２が接着固定されている。
【００１６】
前記金属屋根Ｓは、例えば、折板屋根Ｓ２上に断熱ボードＳ１を敷設したものであったり、又は、その他の公知の防水下地となる構造が対象として挙げることができる。勿論、下地としては、金属屋根Ｓ以外にも、コンクリートスラブ等であってもよい。
【００１７】
前記防水シート２は、例えば、塩化ビニル系等の合成樹脂製シートで構成されている。
【００１８】
また、図２〜４に示すように、前記板材Ｄと、その板材Ｄを前記金属屋根Ｓに固定する固定ネジ部材１との間には、前記板材Ｄに対する前記固定ネジ部材１の軸芯Ｘ周りでのネジ締め方向の回転を許容する一方、緩み方向の回転を阻止する緩み防止手段Ｒが設けてある。
【００１９】
前記板材Ｄは、金属薄板素材をプレス成形によって図５に示すような立体的な円板形状に成形してあり、中央部分に、前記固定ネジ部材１を挿通するネジ挿通孔３が形成してあると共に、その周りの上面部分は、前記防水シート２に対する接着面４として構成されている。
因みに、前記ネジ挿通孔３の周縁部は、前記接着面４より一段下がった座繰り部３ａとして形成してあり、金属屋根Ｓに板材Ｄを取り付けた状態において、前記緩み防止手段Ｒや前記固定ネジ部材１の拡径頭部１ａが板材Ｄの高さ寸法内に納まるよう構成してある  （図３参照）。そして、座繰り部３ａには、前記緩み防止手段Ｒとの係合部となる係合孔３ｂが、ネジ挿通孔３を中心にした点対称の位置にそれぞれ形成してある（図４参照）。
また、前記接着面４は、板材Ｄの該当する表面に予めホットメルト接着層を設けて構成してあり、上から防水シート２を被した状態で、防水シート２の上方から、電磁誘導加熱装置等によって板材Ｄを加熱することでホットメルト接着層を溶かして接着固定する等の方法によって防水シート２を金属屋根Ｓに固定できるものである。
【００２０】
前記固定ネジ部材１は、金属製のネジ材で、図２に示すように、前記板材Ｄのネジ挿通孔３の内径寸法より大径に形成された拡径頭部１ａを備え、金属屋根Ｓにねじ込むことで螺着自在な雄ねじ部１ｃを備えて構成されている。拡径頭部１ａには、角穴１ｄが形成してあり、この角穴１ｄに電動工具やレンチ等を嵌合してネジ締め操作を行えるように構成されている。
また、前記拡径頭部１ａと雄ねじ部１ｃとの間には、前記緩み防止手段Ｒとの係合部となる係合用突起１ｂが形成されている。この係合用突起１ｂは、固定ネジ部材１の外周面における周方向に一定間隔をあけた二箇所に、固定ネジ部材の径方向に突出する状態に形成してあり、後述する緩み防止手段Ｒ（図６参照）の係止爪６Ａｂに当接して固定ネジ部材１の緩み方向の回転が阻止されるように構成されている。
また、係合用突起１ｂと雄ねじ部１ｃとの間には、周溝１ｅが形成してあり、後述する緩み防止手段Ｒの先窄まり部６Ａｃが、この周溝１ｅに係合することで、緩み防止手段Ｒから固定ネジ部材１が抜けるのを阻止して、両者の一体性を向上させられるように構成されている。
【００２１】
前記緩み防止手段Ｒは、合成樹脂材によって形成してあり、図６、図７に示すように、筒部６Ａと、その筒の上端部の鍔部６Ｂとを一体に備えた介在部材６で構成されている。
【００２２】
前記筒部６Ａは、前記板材Ｄのネジ挿通孔３に内嵌自在な筒外径寸法に形成してあると共に、前記固定ネジ部材１を挿通自在な筒内径寸法に形成してある。そして、筒下端部は複数の屈曲爪によって先窄まり形状に成形してあり、前記ネジ挿通孔３への当該介在部材６の取り付け時に、この先窄まり部６Ａｃによってスムースにガイドして挿入できるように構成されている。
また、筒部６Ａの外周部の上端側には、上端側ほど径方向の外方へ突出する傾斜状態に外れ止め用切り起こし部６Ａａが二箇所に形成してある。この切り起こし部６Ａａは、径方向に沿って弾性的に揺動変形することができ、前記ネジ挿通孔３内に当該介在部材６を嵌め入れる際に、挿通孔内周部に接当することで縮径方向に弾性変形し、挿通孔内周部を乗り越えた時点で、弾性復元力で元の突出状態に復元し、切り起こし部６Ａａの上端部がネジ挿通孔３の縁部の裏面側に位置する（図３参照）。従って、この切り起こし部６Ａａによって、板材Ｄに取り付けた介在部材６の抜け止めを図ることが可能となる。
そして、前記先窄まり部６Ａｃは、前述の通り、固定ネジ部材１の周溝１ｅに係合することで介在部材６から固定ネジ部材１が抜け難くなり、その結果、介在部材６を介して板材Ｄと固定ネジ部材１との一体化を図ることが可能となる。
従って、例えば、防水シート２上から断熱ボードＳ１の部分を人が踏むなどして沈み込んだ際、板材Ｄと固定ネジ部材１とがネジ軸芯方向に相対的に移動できる構成の場合、固定ネジ部材１の拡径頭部１ａのみが突出して防水シート２を突き上げて破ってしまう（所謂『踏み抜け』）危険があるのに対して、板材Ｄと固定ネジ部材１とが一体化されていることで、踏み抜け荷重を前記板材Ｄの広い範囲に分散して防水シート２に伝えることができるから、応力集中を防いで、踏み抜けを生じ難くすることが可能となる。
【００２３】
一方、筒部６Ａの内周部には、周方向でのネジ締め前方側ほど径方向の内方へ突出する傾斜状態に係止爪６Ａｂが二箇所に形成してある（図６参照）。この係止爪６Ａｂは、径方向に沿って弾性的に揺動変形することができ、筒部内に前記固定ネジ部材１を挿通してネジ締め操作を行う際に、固定ネジ部材１の係合用突起１ｂが接当しながらネジ締め方向に移動することで縮径方向に弾性変形し、係合用突起１ｂが乗り越えた時点で弾性復元力で元の突出状態に復元する（図７（イ）参照）。従って、固定ネジ部材１の軸芯Ｘ周りでのネジ締め方向の回転を許容することができる。
また、筒部内に挿通された前記固定ネジ部材１が緩み方向に回転するような場合には、固定ネジ部材１の係合用突起１ｂを係止爪６Ａｂの先端部で受け止めて、緩み回転を阻止することができる（図７（ロ）参照）。
当該係止爪６Ａｂによって第二係合部Ｋ２が構成されている。
【００２４】
前記鍔部６Ｂは、その外径寸法を、前記固定ネジ部材１の拡径頭部１ａの外径寸法とほぼ同寸法に形成してある。そして、鍔部６Ｂの下面には、前記板材Ｄの座繰り部３ａに形成された係合孔３ｂに対応する位置に、それらの係合孔３ｂに係合自在な係合突起６Ｂａが各別に形成されている。
従って、板材Ｄのネジ挿通孔３に当該介在部材６を嵌め入れることで、前記係合孔３ｂに係合突起６Ｂａが係合し、その結果、前記板材Ｄと当該介在部材６との前記軸芯Ｘ周りの相対回転が阻止される（図４参照）。
前記係合突起６Ｂａによって第一係合部Ｋ１が構成されている。
【００２５】
また、当該介在部材６は、非導電性の合成樹脂で構成されており、且つ、前記板材Ｄと固定ネジ部材１とが直接接触しない状態に介在しているから、双方の電気的な絶縁を図っており、電蝕防止を図ることが可能となっている。
【００２６】
本実施形態の防水シート固定構造によれば、板材Ｄを固定ネジ部材１で固定する際、低い回転トルクで自由に締め付けて板材Ｄをしっかりと固定することが可能となる一方、一度固定した固定ネジ部材１は、前記緩み防止手段Ｒによって緩み方向の回転が阻止されるから緩み防止を図ることが可能となり、他にアンカーや接着剤等を使用するまでもなく、確実に固定ネジ部材１の緩み防止を図ることが可能となる。
従って、防水シートの確実な固定状態を長期に亘って維持させることが可能となる。
【００２７】
〔別実施形態〕
以下に他の実施の形態を説明する。
【００２８】
〈１〉  先の実施形態においては、緩み防止手段Ｒとして介在部材６を使用したものを説明したが、その構成に限るものではなく、例えば、介在部材６に備えた機能部分を、前記板材Ｄに形成することで代用してもよく、緩み防止手段Ｒそのものの構成も、適宜変更することが可能である。要するに、緩み防止手段Ｒは、前記板材Ｄに対する前記固定ネジ部材１の軸芯Ｘ周りでのネジ締め方向の回転を許容する一方、緩み方向の回転を阻止するように構成されたものであればよく、それらを総称して緩み防止手段Ｒという。
〈２〉  前記板材Ｄは、先の実施形態では、円板形状のものを説明したが、その形状に限るものではなく、例えば、帯板形状のものであったり、矩形板形状のものであってもよく、それらを総称して防水シート固定用板材という。
また、板材Ｄの上面に防水シート２が接着されている防水シート固定構造に限らず、例えば、図８に示すように、防水シート２の上に前記板材Ｄを配置して、下地Ｓに抑え固定してある防水シート固定構造であってもよい。この場合、板材Ｄの上を覆う状態に別の防水シートで構成されたパッチＰを被して防水シート２に水密状態に接着しておくことで、防水シート固定部分の防水性を維持することができる。また、緩み防止手段Ｒを介しての固定ネジ部材１に対する緩み回転阻止反力の確保は、板材Ｄと防水シート２との摩擦力で確保することが可能であるが、板材Ｄの上面にパッチＰを接着しておけば、より強力に緩み回転阻止反力を確保することができる。尚、板材Ｄに、下方の防水シート２に対して当接して摩擦抵抗力を増強する爪やローレット加工部等を形成しておけば、より強力に固定ネジ部材１の緩み回転阻止を図ることが可能となる。
〈３〉  前記介在部材６は、先の実施形態で説明したものに限るものではなく、材質や形状等の変更は、適宜実施することができる。
例えば、前記第一係合部Ｋ１に関しては、先の実施形態で説明した係合突起６Ｂａによるものに限らず、例えば、図９に示すように、筒部６Ａの外周形状を、角筒形状に構成し、板材Ｄのネジ挿通孔３を、その角筒形状に嵌合自在な角穴形状に構成することで構成するものであってもよい。
また、第二係合部Ｋ２に関しても、先の実施形態で説明した係止爪６Ａｂに限るものではなく、その形状や数の変更も適宜実施することが可能である。
第二係合部Ｋ２において、固定ネジ部材１の係合用突起１ｂが接触する内周面部分は、例えば、円周面に沿うような形状に形成しておけば、固定ネジ部材１を挿入する際、引っ掛かり難く、スムースにネジ締め操作することが可能となる。
一方、同様に、固定ネジ部材１の係合用突起１ｂの当接面そのものも、先細り形状に形成しておけば、よりスムースに挿入締め付け操作することが可能となる。
【００２９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３０】
【図１】防水シートの固定状況を示す要部の斜視図
【図２】防水シート固定用板材の固定状況を示す断面図
【図３】防水シートの固定状況を示す要部の断面図
【図４】防水シートの固定状況を示す要部の断面図
【図５】防水シート固定用板材を示す斜視図
【図６】介在部材を示す斜視図
【図７】緩み防止手段の作用を説明する上面図
【図８】防水シートの固定状況を示す要部の断面図
【図９】別実施形態の防水シート固定用板材及び介在部材を示す斜視図
【図１０】従来の防水シートの固定状況を示す要部の断面図
【符号の説明】
【００３１】
１      固定ネジ部材
１ｂ    係合用突起
２      防水シート
６      介在部材
Ｄ      防水シート固定用板材
Ｋ１    第一係合部
Ｋ２    第二係合部
Ｒ      緩み防止手段
Ｓ      下地
Ｘ      軸芯
【図１】
2008002123.tif 000003
【図２】
2008002123.tif 000004
【図３】
2008002123.tif 000005
【図４】
2008002123.tif 000006
【図５】
2008002123.tif 000007
【図６】
2008002123.tif 000008
【図７】
2008002123.tif 000009
【図８】
2008002123.tif 000010
【図９】
2008002123.tif 000011
【図１０】
2008002123.tif 000012